(57)【特許請求の範囲】
【請求項１】
一方の表面に電気回路（１０）を有するフィルム基材（１）、及び、該フィルム基材（１）の前記表面の少なくとも電気回路（１０）を有する表面に設けられた、被着体と接着する接着剤（１３）を有する封印シールであって、前記フィルム基材（１）が、脆質フィルム、延性フィルム又は１以上の切り込みを有するフィルムであると共に、前記電気回路（１０）が、金属薄膜と薄膜プラスチックフィルムとが積層されてなり、電気回路（１０）自身に、導通が確保されると共に切断されやすくするための切り込みが１以上設けられていることを特徴とする封印シール。
【請求項２】
前記切り込みを有するフィルムの切り込みが、フィルム基材（１）の縁端部に達しないように設けられると共に、フィルム基材（１）の縁端部の前記切り込みと異なる箇所に、別途小さな切り込みが設けられている、請求項１に記載された封印シール。
【請求項３】
前記被着体と接着する接着剤（１３）の表面に剥離シート（２０）が設けられている、請求項１又は２に記載された封印シール。
【請求項４】
前記フィルム機材（１）に設けられた切り込みの深さがフィルム基材（１）の厚み以上である、請求項１〜３のいずれかに記載された封印シール。
【発明の詳細な説明】
【０００１】
【発明の属する技術分野】
本発明は封印シールに関し、特に、封印後の開封を電気的に検知するに適した封印シールに関する。
【０００２】
【従来の技術】
近年のコンピュータ技術の発展は目覚ましく、その応用は広がる一方であり、例えばパチンコ台の出玉制御にも応用されている。このようなゲーム装置においては、客寄せのために或いは客が違法に、使用されているＲＯＭ等を入れ換えるという問題が発生する。
そこで、かかる改造を防止するために、ＲＯＭなどの主要な部品や、それらの電子部品を実装した基板を収納するケースに封印をすることが行われ、最近においては、そのための封印シールとして、一度貼着されたものを剥離すると容易に電気的に検知されるような、導電部材を組み込んだものも提案されている（特開平８−２２１６７６号公報）。
【０００３】
【発明が解決しようとする課題】
しかしながら、上記の封印シールには、強接着性の接着剤と弱接着性の接着剤が組み合わせて用いられているので、その製造方法は煩雑であり、コスト高になり易いという欠点があった。
そこで、本発明者らは、上記の欠点を解決すべく鋭意検討した結果、脆質フィルム、延性フィルム又は１以上の切り込みを有するフィルム基材の表面に１以上の切り込みを有する電気回路を設けることにより、接着力の異なる２種以上の接着剤を塗り分ける必要がないので極めて簡便に製造することのできる、電気的に開封を検知し易い封印シールとすることができることを見出し、本発明に到達した。
従って本発明の目的は、製造適性に優れた、電気的に検知し易い封印シールを提供することにある。
【０００４】
【課題を解決するための手段】
本発明の上記の目的は、一方の表面に電気回路（１０）を有するフィルム基材（１）、及び、該フィルム基材（１）の前記表面の少なくとも電気回路（１０）を有する表面に設けられた、被着体と接着する接着剤（１３）を有する封印シールであって、前記フィルム基材（１）が、脆質フィルム、延性フィルム又は１以上の切り込みを有するフィルムであると共に、前記電気回路（１０）が、金属薄膜と薄膜プラスチックフィルムとが積層されてなり、電気回路（１０）自身に導通が確保されると共に切断されやすくするための切り込みが１以上設けられていることを特徴とする封印シールによって達成された。
【０００５】
【発明の実施の形態】
本発明におけるフィルム基材は、公知のプラスチックフィルムの中から適宜選択することができる。これらのフィルム基材として、脆質でも延性でもないフィルムを使用する場合には、貼着後の剥離時に、容易に破壊又は破断されるようにするために、予め１以上の切り込みを持たせることが必要である。この切り込みの数や形状は、用いるフィルム基材の材質、厚み、封印シールの形状等によって適宜設計すれば良いが、切り込みの深さは、フィルム基材の厚み以上とすることが好ましい。
尚、ここで「以上」とは、後記する如く、フィルム基材に積層される電気回路や、接着剤層をも考慮した記述である。
【０００６】
脆質フィルムとしては、例えば、塩化ビニル樹脂、アクリル樹脂、アセテート樹脂等のフィルムを挙げることができるが、本発明においては、特に耐水性の観点から、塩化ビニル樹脂及びアクリル樹脂のフィルムが好ましい。
又、延性フィルムとしては、例えばポリエチレン樹脂、ポリプロピレン樹脂、軟質塩化ビニル樹脂、塩化ビニリデン樹脂及びブタジエンゴムのフィルム等を挙げることができる。
これらのフィルムは、取り扱い性に支障ない限り薄くて弱い方が好ましい。
【０００７】
本発明における電気回路は、パターン状の金属薄膜を貼着して設ける。
パターン状の金属薄膜を貼着するには、その取り扱い性を担保するために、先ず、薄いプラスチックシートに接着剤を介して金属薄膜を貼着した積層シートを製造し、これを所望のパターンにカットする。この場合、上記プラスチックシートの裏面に、公知の如く、接着剤層を設けた剥離シートの接着剤層面を貼着しておいても良い。
【０００８】
何れにしても、実用上は、被着体に接着させる封印シートの接着剤面には剥離シートを設けておくことが好ましい。
従って、フィルム基材の一方の表面に直接電気回路を設けたり、パターン状の金属薄膜を接着剤を介して貼着することにより電気回路を設けた場合には、該電気回路が設けられたフィルム基材の全表面に接着剤層を介して剥離シートを設けることが好ましい。
【０００９】
本発明の封印シールを製造する際に用いる接着剤は、容易に剥離せず、無理に剥離させようとすると、フィルム基材及び電気回路が破損する程度の接着強度を有するものである限り、通常の接着剤であっても、その他の感圧接着剤或いは感熱接着剤であっても良く、特に限定されることはない。
尚、剥離シートとしては、ポリエチレンラミネート紙やプラスチックフィルムにシリコーン樹脂等の剥離剤を塗布した公知のものが使用できる。
【００１０】
【実施例】
以下、本発明を実施例に基づいて更に詳述するが、本発明はこれによって限定されるものではない。
図１は、本発明の封印シールの平面概略図及びそれに対応する側面概略図である。図中、符号１は脆質フィルム基材、１０は電気回路、２０は剥離シートである。図２は、図１の封印シール断面構成図である。図中符号１は、厚さ５０μｍの塩化ビニル製脆質フィルム２と厚さ２５μｍのアクリル系粘着剤層３とからなる脆質フィルム基材、１０は、厚さ２５μｍのポリエチレンテレフタレートシートである薄手の基材シート１２上の一方の面に、接着剤（図示せず）を介して９μｍのアルミ薄膜１１を有し、他方の面に被着体に接着させる厚さ２５μｍのアクリル系感圧接着剤層１３を有する電気回路、２０は剥離シートである。電気回路１０には、回路がわずかな力によって切断されるように切り込み１４が設けられている。
【００１１】
この封印シールを使用する場合には、剥離シート２０を剥がした後、電気回路表面の接着剤を封印したい被着体に貼着し、次いで、電気回路端子を、電気的検知器に接続すれば良い。一度貼着した後に、この封印シールを剥がそうとしても、脆質フィルム２の強度が弱いので、このフィルムが破壊され、及び／又は、電気回路が切り込み１４から切断れるので、検知器に異常を検知させることなく剥がすことは不可能である。
【００１２】
図３は、脆質フィルムではなく、ポリエチレンテレフタレートフィルムのような通常のフィルムをフィルム基材として用いた場合の平面図である。フィルム基材として厚さ３８μｍのポリエチレンテレフタレートフィルムを用いたが、この場合には、電気回路に切り込み１４を設けるのみならず、フィルム基材にもこのフィルム基材の厚み以上の切り込み４を設ける。フィルム基材の切り込みが電気回路にまで及ぶ場合には、更に電気回路に他の切り込みを設けなくても良い。
【００１３】
フィルム基材の切り込みは、剥離シートを剥がす場合等の取り扱い性を容易にする上からは、図４に示す如く、切り込み４がフィルム基材の縁端部にまで達しないようにすることが好ましい。この場合には、貼着された封印シールを剥がす時にフィルム基材の破壊が速やかに起こらない恐れがあるので、図５に示す如く、別途フィルム基材の縁端部に達する小さな切り込みを、前記切り込みと異なる箇所に設けることが好ましい。
【００１４】
このようにすることにより、剥離シートを剥がす場合に誤ってフィルム基材を破壊し、更に電気回路を切断するという事故を防ぐことができる上、一度貼着した封印シールを剥がそうとした場合には、フィルム基材端の小さな切り込みがきっかけとなり、容易にフィルム基材が破壊される。
また、フィルム基材を通して回路が見えることを防止するために、不透明なフィルム基材を用いたり、フィルム基材の表面に不透明な塗料を塗布しても良い。
【００１７】
【発明の効果】
本発明の封印シールは接着強度の異なる複数の接着剤を塗り分けるという必要がないので、その製造は従来技術に基づいて容易に行うことができる。
【図面の簡単な説明】
【図１】  本発明の封印シールのうち、脆質フィルムを使用した例を示す平面概念図及び対応する側面概念図である。
【図２】  図１の封印シールの断面概念図である。
【図３】  本発明の封印シールのうち、切り込みの入ったフィルムを使用した例を示す平面概念図である。
【図４】  図３の切り込み端部の部分拡大図である。
【図５】  図３の切り込み端部の、他の例を示す部分拡大図である。
【符号の説明】
１  フィルム基材
２  フィルム
３  粘着剤層
４  フィルム基材に設けられた切り込み
５  切り込みを有するフィルム基材
１０  電気回路
１１  アルミ薄層
１２  薄手の基材シート
１３  接着剤層
１４  アルミ薄層に設けられた切り込み
２０  剥離シート
【図１】
0003830232.tif 000002
【図２】
0003830232.tif 000003
【図３】
0003830232.tif 000004
【図４】
0003830232.tif 000005
【図５】
0003830232.tif 000006